(57)【要約】【課題】  外装ケースの表示窓を閉塞する透明板を簡単に組み立てることができ、コストの低減化も図れる「電子機器」を提供すること。【解決手段】  遮光性合成樹脂からなるホルダ２に液晶表示装置１２の表示面１２ａを臨む開口８を開設すると共に、この開口８の周囲に複数の弾性舌片２ａを一体成形し、外装ケース１の表示窓５を閉塞する透明板３の外縁部を各弾性舌片２ａに当接させた状態で、ホルダ２を外装ケース１の裏面にスナップ結合することにより、透明板３を外装ケース１とホルダ２とで挟持・固定する。その際、ホルダ２の開口８を外装ケース１の表示窓５よりも幾分小さめに形成し、表示窓５と透明板３を通して目視することのできる表示面１２ａの可視領域が開口８で囲まれた範囲となるように構成した。【選択図】  図３
2005221850.tif 000002
【特許請求の範囲】
【請求項１】
回路基板上に実装された液晶表示装置およびスイッチ素子と、このスイッチ素子を動作させる操作ノブを支持する遮光性合成樹脂からなるホルダと、前記操作ノブを露出させる透孔と前記液晶表示装置の表示面を臨む表示窓とが開設された外装ケースと、この表示窓を閉塞する透明板とを備え、前記ホルダに前記表示窓に対向する開口を設けると共に、前記透明板の外縁部を前記外装ケースと前記ホルダとで挟持・固定したことを特徴とする電子機器。
【請求項２】
請求項１の記載において、前記ホルダに複数の弾性舌片を片持ち梁状に一体成形し、これら弾性舌片の自由端を前記透明板の裏面に弾接させたことを特徴とする電子機器。
【請求項３】
請求項１または２の記載において、前記開口を前記表示窓よりも小さめに形成し、この開口の大きさによって前記表示面の可視領域を規定したことを特徴とする電子機器。
【請求項４】
請求項１の記載において、前記外装ケースと前記ホルダとを前記透明板の周囲でスナップ結合により一体化したことを特徴とする電子機器。
【請求項５】
請求項１の記載において、前記ホルダの裏面に前記開口を包囲するリブを突設し、このリブを前記表示面に当接させたことを特徴とする電子機器。
【発明の詳細な説明】
【技術分野】
【０００１】
本発明は、外装ケースに開設した表示窓を通して液晶表示装置の表示面を目視するようにした電子機器に係り、特に、外装ケースの表示窓を閉塞する透明板の取付構造に関するものである。
【背景技術】
【０００２】
車載用オーディオ装置等の電子機器においては、機器本体のパネル面である外装ケースの内部に液晶表示装置（ＬＣＤ）を配設し、この液晶表示装置に表示された曲番号や動作状態等の情報を外装ケースに開設した表示窓を通して目視するようにしたものが一般的であるが、通常、この表示窓はガラスや合成樹脂からなる透明板によって閉塞されて内部の液晶表示装置にゴミや塵埃等の異物が侵入しないようになっている。
【０００３】
従来より、このような透明板を外装ケースの表示窓よりも大きめに設定し、この透明板の下面外周部に所定幅の遮光性塗料を印刷すると共に、透明板を遮光性塗料の下面側で両面接着テープを用いて外装ケースに固定するようにした電子機器が知られている（例えば、特許文献１参照）。この遮光性塗料は表示窓の外縁部よりも若干内側に延出しており、両面接着テープ等は遮光性塗料によって外部から見えなくなるため、液晶表示装置の表示面は遮光性塗料で囲まれた透明板の透明部分が可視領域となる。
【特許文献１】特開平１１−２８９１６９号公報（第３−４頁、図１）
【発明の開示】
【発明が解決しようとする課題】
【０００４】
しかしながら、前述した従来の電子機器では、外装ケースの表示窓を閉塞する透明板の固定部材として両面接着テープを用いており、組立作業者は両面接着テープを透明板と外装ケースの所定位置に正確に貼着する必要があるため、透明板を外装ケースに取り付ける作業性が悪いという問題があった。また、両面接着テープを外部から見えなくするために、透明な透明板の下面外周部に見切り印刷と呼ばれる遮光性塗料を印刷する必要があり、かかる遮光性塗料の印刷工程によって透明板のコストが上昇するという問題もあった。
【０００５】
本発明は、このような従来技術の実情に鑑みてなされたもので、その目的は、組立が簡単でコストの低減化が図れる電子機器を提供することにある。
【課題を解決するための手段】
【０００６】
本発明は、外装ケースの表面に露出する操作ノブの支持部材である遮光性合成樹脂製のホルダを透明板の固定手段として利用し、透明板の外縁部をこのホルダと外装ケースとで挟持・固定することにより、外装ケースに開設された表示窓を透明板で閉塞することとした。
【発明の効果】
【０００７】
本発明の電子機器は、操作ノブを支持するホルダに液晶表示装置の表示面に対向する開口を設け、この開口の周囲で透明板の外縁部を外装ケースとホルダとで挟持・固定することにより、外装ケースに開設された表示窓を透明板で閉塞するようにしたので、両面接着テープ等の固定部材を要することなく透明板を簡単に取り付けることができ、組立作業の簡略化とコストの低減化が図れる。
【発明を実施するための最良の形態】
【０００８】
本発明の電子機器では、回路基板上に実装された液晶表示装置およびスイッチ素子と、このスイッチ素子を動作させる操作ノブを支持する遮光性合成樹脂からなるホルダと、前記操作ノブを露出させる透孔と前記液晶表示装置の表示面を臨む表示窓とが開設された外装ケースと、この表示窓を閉塞する透明板とを備え、前記ホルダに前記表示窓に対向する開口を設けると共に、前記透明板の外縁部を前記外装ケースと前記ホルダとで挟持・固定する構成とした。
【０００９】
このように構成された電子機器は、外装ケースの表面に露出する操作ノブの支持部材であるホルダを透明板の固定手段として利用し、透明板の外縁部をこのホルダと外装ケースとで挟持・固定することにより、外装ケースに開設された表示窓を透明板で閉塞するようにしたので、両面接着テープ等の固定部材を要することなく、透明板を外装ケースに簡単に取り付けることができる。
【００１０】
上記の構成において、ホルダに複数の弾性舌片を片持ち梁状に一体成形し、これら弾性舌片の自由端を透明板の裏面に弾接させることが好ましく、ホルダにこのような弾性舌片を形成すると、透明板のガタを防止することができると共に、透明板を長期に亘って安定的に固定することができる。
【００１１】
また、上記の構成において、ホルダの開口を外装ケースの表示窓よりも小さめに形成し、この開口の大きさによって液晶表示装置の表示面の可視領域を規定することが好ましく、このようにすると透明板の外周部に遮光性塗料を印刷する必要がなくなり、コストをより一層低減化することができる。
【００１２】
また、上記の構成において、外装ケースとホルダとを透明板の周囲でスナップ結合により一体化すると、ホルダと外装ケースの透明板を挟持する力が安定して好ましい。
【００１３】
また、上記の構成において、ホルダの裏面に開口を包囲するリブを突設し、このリブを液晶表示装置の表示面に当接すると、ゴミや塵埃等の異物が表示面の可視領域内に侵入することを確実に防止できて好ましい。
【実施例】
【００１４】
実施例について図面を参照して説明すると、図１は本発明の実施例に係る電子機器の正面図、図２は図１のII−II線に沿う断面図、図３は図１のIII−III線に沿う断面図、図４は図１のIV−IV線に沿う断面図、図５は該電子機器を表面側から見た分解斜視図、図６は該電子機器を裏面側から見た分解斜視図、図７は該電子機器に備えられるホルダの正面図、図８は該ホルダの裏面図、図９は該電子機器に備えられる透明板の取付状態を示す説明図である。
【００１５】
本実施例に係る電子機器は、例えば車載用オーディオ装置として使用されるものであり、車内のインストルメントパネル等に配設される図示しない金属製の外部シャーシと、この外部シャーシの前面部に取り付けられた合成樹脂製の外装ケース１と、この外装ケース１の裏面側に配設されたホルダ２と、これら外装ケース１とホルダ２間に配設された合成樹脂製の透明板３と、外部シャーシに取り付けられた回路基板４とから主に構成されている。
【００１６】
外装ケース１は機器本体のパネル面を構成するものであり、その中央部に長方形状の表示窓５が開設されると共に、表示窓５の周囲にディスク挿入口６や複数の透孔７が開設されている。また、外装ケース１の裏面には表示窓５を包囲するように突堤１ａが一体成形されると共に、この突堤１ａには複数の係合孔１ｂが形成されており、さらに外装ケース１の外周壁に複数の係合孔１ｃが形成されている（図６参照）。
【００１７】
ホルダ２は遮光性の合成樹脂、例えば黒色のＡＢＳ樹脂からなり、その外周壁には外装ケース１の各係合孔１ｃにスナップインされる複数の凸部２ｅが一体成形されている。ホルダ２の中央部には外装ケース１の表示窓５に対向する長方形状の開口８が開設されており、この開口８の大きさは表示窓５よりも幾分小さめに設定されている。後述するように、これら表示窓５と開口８は透明板３によって閉塞されるようになっており、この透明板３は外装ケース１の裏面とホルダ２の表面とで挟持・固定される。また、ホルダ２には外装ケース１のディスク挿入口５に対向する長孔９が開設されると共に、外装ケース１の透孔７内に露出する複数の操作ノブ１０が揺動可能に支持されており、さらにアクリル樹脂等からなる複数の導光体１１がスナップ結合によって固定されている。
【００１８】
図２〜図４および図７〜図９に示すように、ホルダ２の開口８を包囲する部分の表面は前述した透明板３の載置面となっており、この載置面に複数の弾性舌片２ａが片持ち梁状に一体成形されている。これら弾性舌片２ａは２つを１組として開口８の左右両短辺の外側に１組ずつ形成されており、各組の両弾性舌片２ａは互いの固定端を中心として開口８の短辺に沿って逆向きに延びている。透明板３は各弾性舌片２ａからの弾発力を受けて外装ケース１の裏面に圧接されており、各弾性舌片２ａの自由端側には透明板３の裏面に当接する半球状の突部２ｂが形成されている。また、ホルダ２の表面には外装ケース１の各係合孔１ｂにスナップインされる複数の係合突起２ｃが一体成形されており、これら係合突起２ｃは透明板３の位置決め部としても機能する。すなわち、透明板３の周縁部に形成された複数の凹部３ａを対応する係合突起２ｃに挿入することにより、透明板３はホルダ２の載置面に対してその面方向へ位置決めされるようになっている。一方、ホルダ２の裏面にはリブ２ｄが一体成形されており、このリブ２ｄは開口８の外周縁に沿って枠状に形成されている。
【００１９】
図５に示すように、回路基板４上には液晶表示装置（ＬＣＤ）１２と回転操作型可変抵抗器１３と複数のプッシュスイッチ１４および複数の発光ダイオード（ＬＥＤ）１５が実装されており、液晶表示装置１２には金属板製の枠体１６が取り付けられている。この枠体１６には液晶表示装置１２の表示面１２ａを露出させる窓孔１６ａが形成されており、ホルダ２から突出するリブ２ｄの先端は窓孔１６ａ内に挿入されて表示面１２ａに当接している（図３参照）。可変抵抗器１３の回転軸１３ａはホルダ２を挿通しており、その先端に取り付けられた操作つまみ１７は外装ケース１の透孔７内に露出している（図１参照）。プッシュスイッチ１４はホルダ２に支持された操作ノブ１０に対向しており、発光ダイオード１５はホルダ２に固定された導光体１１の受光面に対向している。
【００２０】
このように構成された電子機器においては、透明板３の各凹部３ａをホルダ２の対応する係合突起２ｃに挿入して開口８の周囲の載置面に位置決めした後、外装ケース１とホルダ２とをスナップ結合して一体化することにより、透明板３が外装ケース１の裏面とホルダ２の表面とで挟持・固定されるようになっている。その際、外装ケース１とホルダ２は、係合孔１ｃと凸部２ｅによる外周部でのスナップ結合のみならず、係合孔１ｂと係合突起２ｃによる透明板３の周囲でもスナップ結合されるため、外装ケース１とホルダ２の挟持力が安定して透明板３を確実に固定することができる。
【００２１】
また、透明板３はホルダ２に一体成形された各弾性舌片２ａからの弾発力を受けて外装ケース１の裏面に圧接されるため、各弾性舌片２ａによって透明板３のガタ付きが防止され、環境温度の変化等に拘わらず透明板３を長期に亘って安定的に固定することができる。
【００２２】
また、外装ケース１の表示窓５に対してホルダ２の開口８が幾分小さめに設定されているため、この開口８の大きさによって液晶表示装置１２の表示面１２ａの可視領域を規定することができる。すなわち、図２と図３に示すように、外装ケース１に開設された表示窓５の長辺側と短辺側の長さをそれぞれＬ１，Ｗ１とし、ホルダ２に開設された開口８の長辺側と短辺側の長さをそれぞれＬ２，Ｗ２とすると、これら長さはＬ１＞Ｌ２，Ｗ１＞Ｗ２の関係にあるため、表示窓５と透明板３を通して目視することのできる表示面１２ａの可視領域は開口８で囲まれた範囲となる。したがって、外装ケース１の外部から液晶表示装置１２の表示面１２ａを目視したとき、図１の符号Ｍで示すように、表示窓５の外周縁内側に開口８の周囲が枠状に見えることになり、ホルダ２の当該部分Ｍが見切り印刷と同様の機能を持つため、透明板３の外周部に必要とされていた遮光性塗料の印刷を省略することができ、その分だけコストの低減化が図れる。
【００２３】
さらに、ホルダ２の裏面に開口８を包囲するリブ２ｄが突設され、このリブ２ｄの先端を液晶表示装置１２の表示面１２ａに当接したため、ゴミや塵埃等の異物が表示面１２ａの可視領域内に侵入することを確実に防止できる。
【図面の簡単な説明】
【００２４】
【図１】本発明の実施例に係る電子機器の正面図である。
【図２】図１のII−II線に沿う断面図である。
【図３】図１のIII−III線に沿う断面図である。
【図４】図１のIV−IV線に沿う断面図である。
【図５】該電子機器を表面側から見た分解斜視図である。
【図６】該電子機器を裏面側から見た分解斜視図である。
【図７】該電子機器に備えられるホルダの正面図である。
【図８】該ホルダの裏面図である。
【図９】該電子機器に備えられる透明板の取付状態を示す説明図である。
【符号の説明】
【００２５】
１  外装ケース
１ａ  突堤
１ｂ，１ｃ  係合孔
２  ホルダ
２ａ  弾性舌片
２ｂ  突部
２ｃ  係合突起
２ｄ  リブ
２ｅ  凸部
３  透明板
３ａ  凹部
４  回路基板
５  表示窓
７  透孔
８  開口
１０  操作ノブ
１１  導光体
１２  液晶表示装置
１２ａ  表示面
１６  枠体
１６ａ  窓孔
【図１】
2005221850.tif 000003
【図２】
2005221850.tif 000004
【図３】
2005221850.tif 000005
【図４】
2005221850.tif 000006
【図５】
2005221850.tif 000007
【図６】
2005221850.tif 000008
【図７】
2005221850.tif 000009
【図８】
2005221850.tif 000010
【図９】
2005221850.tif 000011